(57)【要約】【課題】プラテンの熱伝導に起因する記録媒体の記録領域の歪みを防止する。【解決手段】インクジェットプリンタ１は、画像記録前の記録媒体の記録領域を支持する第１のプラテンと、予め設定された第１の設定温度で発熱して第１のプラテンを加熱する第１のヒータ７と、第１のプラテンによる支持に引き続いて画像記録中の記録媒体の記録領域を支持する第２のプラテンと、記録媒体の記録領域に記録しようとする画像の画像データを一時的に保存するバッファメモリ３７と、バッファメモリ３７に保存された画像データの未処理データ量を算出するデータカウンタ３８と、前記未処理データ量から記録媒体の記録領域が第１のプラテンを通過したか否かを判断し、前記未処理データ量が規定量を下回って記録媒体の記録領域が第１のプラテンを通過したと判断したら、第１のヒータ７を第１の設定温度より低い第２の設定温度で発熱させる制御部３０とを、備えている。【選択図】図２
2006150651.tif 000002
【特許請求の範囲】
【請求項１】
画像記録前の記録媒体の記録領域を支持する第１のプラテンと、
予め設定された第１の設定温度で発熱して前記第１のプラテンを前記第１の設定温度に加熱する第１のヒータと、
前記第１のプラテンによる支持に引き続いて画像記録中の記録媒体の記録領域を支持する第２のプラテンと、
記録媒体の記録領域に記録しようとする画像の画像データを一時的に保存するバッファメモリと、
前記バッファメモリに保存された前記画像データの未処理データ量を算出する算出部と、
前記未処理データ量から記録媒体の記録領域が前記第１のプラテンを通過したか否かを判断し、前記未処理データ量が規定量を下回って記録媒体の記録領域が前記第１のプラテンを通過したと判断したら、前記第１のヒータを前記第１の設定温度より低い第２の設定温度で発熱させる制御部と、
を備えるインクジェットプリンタ。
【請求項２】
請求項１に記載のインクジェットプリンタにおいて、
予め設定された第３の設定温度で発熱して前記第２のプラテンを前記第３の設定温度で加熱する第２のヒータを備え、
前記制御部が、
前記未処理データ量の有無で前記バッファメモリに前記画像データが存するか否かを判断し、前記未処理データ量が無くなって前記バッファメモリに前記画像データが存しないと判断したら、前記第２のヒータを前記第３の設定温度より低い第４の設定温度で発熱させることを特徴とするインクジェットプリンタ。
【請求項３】
請求項１又は２に記載のインクジェットプリンタにおいて、
前記算出部が、
前記バッファメモリに書き込まれた前記画像データの書込データ量と、前記バッファメモリから読み出された前記画像データの読出データ量とをカウントして前記未処理データ量を算出するデータカウンタであることを特徴とするインクジェットプリンタ。
【請求項４】
請求項１〜３のいずれか一項に記載のインクジェットプリンタにおいて、
前記第２の設定温度及び前記第４の設定温度が記録媒体の種類に応じて一定であることを特徴とするインクジェットプリンタ。
【請求項５】
請求項１〜４のいずれか一項に記載のインクジェットプリンタにおいて、
ホストコンピュータとの接続を可能とし、かつ、前記画像データの入力と、前記第２の設定温度から前記第１の設定温度への復帰と、前記第４の設定温度から前記第３の設定温度への復帰とを、前記ホストコンピュータのコマンド操作で可能とするＩ／Ｆコントローラを備えることを特徴とするインクジェットプリンタ。
【請求項６】
請求項１〜５のいずれか一項に記載のインクジェットプリンタにおいて、
記録媒体にインクを吐出する記録ヘッドと、
記録媒体に着弾した前記インクに光を照射する光源と、
を備え、
前記インクが、光の被照射で硬化する光硬化型インクであることを特徴とするインクジェットプリンタ。
【請求項７】
請求項６に記載のインクジェットプリンタにおいて、
前記光源が前記光として紫外線を照射し、
前記インクが、紫外線の被照射で硬化する紫外線硬化型インクであることを特徴とするインクジェットプリンタ。
【請求項８】
請求項７に記載のインクジェットプリンタにおいて、
前記インクがカチオン重合系インクであることを特徴とするインクジェットプリンタ。
【発明の詳細な説明】
【技術分野】
【０００１】
本発明は、プラテンを加熱しながら画像を記録するインクジェットプリンタに関する。
【背景技術】
【０００２】
ワードプロセッサ，パーソナルコンピュータ等に接続される記録端末として、インクジェットプリンタ，レーザプリンタ，熱転写式プリンタ等の種々のプリンタが開発されている。中でも、インクジェットプリンタは、他のプリンタに比べて記録時の音が静かであり色彩豊かな記録を容易かつ安価におこなえる等の利点を有するため、プリンタの主流となっている。
【０００３】
ところで、溶剤系のインクを使用するインクジェットプリンタでは、記録媒体に着弾したインクを迅速に乾燥させるため、記録媒体を支持するプラテンをヒータ等で加熱しながら画像の記録動作をおこない、画像の品質を向上させている（例えば特許文献１（段落番号００１６）参照）。
【特許文献１】特開２００３−１８２１６８号公報
【発明の開示】
【発明が解決しようとする課題】
【０００４】
しかしながら、特許文献１に開示したものも含めたインクジェットプリンタでは、プラテンの略全面を均一的に加熱しているため、記録媒体の各領域中でも画像を記録しない非記録領域までその熱が伝導して当該非記録領域が歪み、その結果、非記録領域の影響を受けて記録領域が歪んで画質の低下を招く可能性がある。更に、一の画像の記録とそれに続く他の画像の記録との間の非記録中にもプラテンを加熱し続けている場合には、これから画像を記録しようとしている記録媒体の記録領域がそのプラテンの熱を受け続けて画像記録前に歪み、画質の低下を招く可能性もある。
本発明の目的は、プラテンの熱伝導に起因する記録媒体の記録領域の歪みを防止することである。
【課題を解決するための手段】
【０００５】
上記課題を解決するため請求項１に記載の発明のインクジェットプリンタは、
画像記録前の記録媒体の記録領域を支持する第１のプラテンと、
予め設定された第１の設定温度で発熱して前記第１のプラテンを前記第１の設定温度に加熱する第１のヒータと、
前記第１のプラテンによる支持に引き続いて画像記録中の記録媒体の記録領域を支持する第２のプラテンと、
記録媒体の記録領域に記録しようとする画像の画像データを一時的に保存するバッファメモリと、
前記バッファメモリに保存された前記画像データの未処理データ量を算出する算出部と、
前記未処理データ量から記録媒体の記録領域が前記第１のプラテンを通過したか否かを判断し、前記未処理データ量が規定量を下回って記録媒体の記録領域が前記第１のプラテンを通過したと判断したら、前記第１のヒータを前記第１の設定温度より低い第２の設定温度で発熱させる制御部と、
を備えることを特徴としている。
【０００６】
請求項２に記載の発明は、
請求項１に記載のインクジェットプリンタにおいて、
予め設定された第３の設定温度で発熱して前記第２のプラテンを前記第３の設定温度で加熱する第２のヒータを備え、
前記制御部が、
前記未処理データ量の有無で前記バッファメモリに前記画像データが存するか否かを判断し、前記未処理データ量が無くなって前記バッファメモリに前記画像データが存しないと判断したら、前記第２のヒータを前記第３の設定温度より低い第４の設定温度で発熱させることを特徴としている。
【０００７】
請求項３に記載の発明は、
請求項１又は２に記載のインクジェットプリンタにおいて、
前記算出部が、
前記バッファメモリに書き込まれた前記画像データの書込データ量と、前記バッファメモリから読み出された前記画像データの読出データ量とをカウントして前記未処理データ量を算出するデータカウンタであることを特徴としている。
【０００８】
請求項４に記載の発明は、
請求項１〜３のいずれか一項に記載のインクジェットプリンタにおいて、
前記第２の設定温度及び前記第４の設定温度が記録媒体の種類に応じて一定であることを特徴としている。
【０００９】
請求項５に記載の発明は、
請求項１〜４のいずれか一項に記載のインクジェットプリンタにおいて、
ホストコンピュータとの接続を可能とし、かつ、前記画像データの入力と、前記第２の設定温度から前記第１の設定温度への復帰と、前記第４の設定温度から前記第３の設定温度への復帰とを、前記ホストコンピュータのコマンド操作で可能とするＩ／Ｆコントローラを備えることを特徴としている。
【００１０】
請求項６に記載の発明は、
請求項１〜５のいずれか一項に記載のインクジェットプリンタにおいて、
記録媒体にインクを吐出する記録ヘッドと、
記録媒体に着弾した前記インクに光を照射する光源と、
を備え、
前記インクが、光の被照射で硬化する光硬化型インクであることを特徴としている。
【００１１】
請求項７に記載の発明は、
請求項６に記載のインクジェットプリンタにおいて、
前記光源が前記光として紫外線を照射し、
前記インクが、紫外線の被照射で硬化する紫外線硬化型インクであることを特徴としている。
【００１２】
請求項８に記載の発明は、
請求項７に記載のインクジェットプリンタにおいて、
前記インクがカチオン重合系インクであることを特徴としている。
【発明の効果】
【００１３】
請求項１に記載の発明では、未処理データ量から判断して記録媒体の記録領域が第１のプラテンを通過した場合に、第１のヒータの温度が第１の設定温度からそれよりも低温の第２の設定温度に切り替わるため、記録媒体の非記録領域は記録領域より低温に供されて歪みにくい。そのため、記録領域は非記録領域の影響を受けず、プラテンの熱伝導に起因する記録媒体の記録領域の歪みを防止することができる。
【００１４】
更に請求項１に記載の発明では、第１のプラテンを通過した記録媒体の次に画像が記録される後続の記録媒体が、第１の設定温度より低温の第２の設定温度の熱を第１のヒータから受け、その記録媒体の記録領域は、第１の設定温度の熱を受け続ける場合よりも低温に供され、画像記録前において歪みにくい。そのため、後続の記録媒体の記録領域においても、プラテンの熱伝導に起因する歪みを防止することができる。
【００１５】
請求項２に記載の発明では、未処理データ量の有無から判断してバッファメモリに画像データが存しない場合に、第２のヒータの温度が第３の設定温度からそれよりも低温の第４の設定温度に切り替わるため、既に画像が記録された記録領域に後続する非記録領域は当該記録領域より低温に供されて歪みにくい。そのため、当該記録領域の次に画像が記録される記録領域は非記録領域の影響を受けず、プラテンの熱伝導に起因する記録媒体の記録領域の歪みを防止することができる。
【発明を実施するための最良の形態】
【００１６】
以下、図面を参照しながら本発明に係るインクジェットプリンタについて説明する。ただし、発明の範囲は図示例に限定されない。
【００１７】
図１はインクジェットプリンタ１の概略構成を示す側面図である。
図１に示す通り、インクジェットプリンタ１は、長尺の記録媒体２が巻回された元巻きローラ３と、画像記録後の記録媒体２を巻き取る巻取りローラ４とを、有している。巻取りローラ４にはギア等の動力伝達手段を介して搬送用モータ５（図２参照）が接続されており、当該搬送用モータ５が作動すると、巻取りローラ４が半時計回り方向に回転して記録媒体２を後方から前方に搬送するようになっている。
【００１８】
元巻きローラ３の前方には、記録媒体２を支持する第１のプラテン６が配されている。第１のプラテン６の下部には記録媒体２を加熱するための第１のヒータ７が配されており、第１のヒータ７が発熱すると、その熱が第１のプラテン６を介して記録媒体２に伝導するようになっている。
【００１９】
第１のプラテン６の前方には記録媒体２を搬送する搬送ローラ８が配されている。搬送ローラ８は図１紙面の表側から裏側にかけて延在している。搬送ローラ８の上部には記録媒体２を搬送ローラ８に向けて押圧するピンチローラ９が配されており、記録媒体２はピンチローラ９の押圧を受けながらピンチローラ９と搬送ローラ８との間を通過するようになっている。
【００２０】
搬送ローラ８の前方には、記録媒体２を支持する第２のプラテン１０が配されている。第２のプラテン１０の下部には記録媒体２を加熱するための第２のヒータ１１が配されており、第２のヒータ１１が発熱すると、その熱が第２のプラテン１０を介して記録媒体２に伝導するようになっている。
【００２１】
第２のプラテン１０の前方には記録媒体２の搬送をガイドするガイドローラ１２が配されている。ガイドローラ１２は図１中表側から裏側にかけて延在している。
【００２２】
以上の構成を具備するインクジェットプリンタ１では、第１のプラテン６、搬送ローラ８、第２のプラテン１０及びガイドローラ１２の各上面が略同一平面上に存し、第１のプラテン６からガイドローラ１２にかけて記録媒体２を平板状に支持することができるようになっている。特に、記録媒体２の記録領域（画像が記録される領域）は画像記録前に第１のプラテンで支持され、その後の画像記録中に第２のプラテン１０で支持されながら、図１中後方から前方に向かって搬送されるようになっている。
【００２３】
ピンチローラ９の上方には図１紙面の表側から裏側にかけて延在するガイド部材２０が配されている。ガイド部材２０には連結部材２１を介してキャリッジ２２が配されている。キャリッジ２２にはベルト等の動力伝達手段を介して走査用モータ２３（図２参照）が接続されており、当該走査用モータ２３が作動すると、キャリッジ２２が図１紙面の表側から裏側（又は裏側から表側）にかけて記録媒体２上を走査するようになっている。
【００２４】
キャリッジ２２には、記録媒体２にインクを吐出する記録ヘッド２４と、記録媒体２に着弾したインクに光（紫外線）を照射する光源２５とが、搭載されている。図１では記録ヘッド２４の陰に隠れて見えないが、記録ヘッド２４の図１紙面の裏側にも光源２５が配されている。すなわち、記録ヘッド２４の両隣に光源２５がそれぞれ配されている。
【００２５】
次に、「インク」について説明する。
本実施形態に用いられるインクとしては、特に、「光硬化技術−樹脂・開始剤の選定と配合条件及び硬化度の測定・評価−（技術協会情報）」に記載の「光硬化システム（第４章）」の「光酸・塩基発生剤を利用する硬化システム（第１節）」、「光誘導型交互共重合（第２節）」等に適合するインクが適用可能であり、通常のラジカル重合により硬化するものであってもよい。
【００２６】
具体的に、本実施形態に用いられるインクは、光としての紫外線の被照射により硬化する性質を具備する光硬化型インクであって、主成分として、重合性化合物（公知の重合性化合物を含む。）と、光開始剤と、色材とを少なくとも含むものであり、紫外線の被照射によりモノマー化合物がポリマー化合物に転化して硬化するものである。ただし、本実施形態に用いるインクとして、上記「光誘導型交互共重合（第２節）」に適合するインクを用いる場合には光開始剤は除外されてもよい。
【００２７】
上記光硬化型インクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。
【００２８】
なお、本実施形態では、第１，第２のヒータ７，１１の熱が記録媒体２に伝導する（後述参照）ため、熱エネルギーを硬化条件の一要素とするカチオン重合系インクを、記録ヘッド２４から吐出するインクとして適用するのが好ましい。記録ヘッド２４から吐出するインクとしてカチオン重合系インクを適用した場合には、記録媒体２に着弾したインクに熱が伝導し、インクの硬化性を高めることができる。
【００２９】
次に、「記録媒体２」について説明する。
本実施形態に用いられる記録媒体２としては、通常のインクジェットプリンタに適用される普通紙，再生紙，光沢紙等の各種記録紙，各種布地，各種不織布，樹脂，金属，ガラス等の材質からなる記録媒体が適用可能である。記録媒体２の形態としては、ロール状、カットシート状、板状等が適用可能である。本実施形態では、記録媒体２はロール状に巻かれた長尺でかつ透明な樹脂フィルムとなっている。
【００３０】
次に、インクジェットプリンタ１の回路構成を説明する。
図２は、インクジェットプリンタ１の回路構成を示すブロック図である。
図２に示す通り、インクジェットプリンタ１は汎用のＣＰＵ（Central Processing Unit），ＲＯＭ（Read Only Memory），ＲＡＭ（Random Access Memory）等から構成された制御部３０を内蔵している。制御部３０は、ＣＰＵがＲＯＭに記録済みの処理プログラムをＲＡＭに展開しながら当該処理プログラムを実行してインクジェットプリンタ１の各部位を制御するようになっている。
【００３１】
具体的に、制御部３０にはヘッド制御回路３１及びヒータ制御回路３２を介して記録ヘッド２４並びに第１のヒータ７及び第２のヒータ１１が接続されており、制御部３０が記録ヘッド２４からのインクの吐出動作や第１のヒータ７及び第２のヒータ１１の発熱温度を制御するようになっている。
【００３２】
これと同様に、制御部３０にはメカ制御回路３３及び光源制御回路３４を介して搬送用モータ５及び走査用モータ２３並びに２つの光源２５，２５が接続されており、制御部３０が搬送用モータ５及び走査用モータ２３の作動や各光源２５の点灯／消灯を制御するようになっている。
【００３３】
更に制御部３０にはＩ／Ｆ（InterFace）コントローラ３５を介してホストコンピュータ４０が接続可能となっており、制御部３０は、ホストコンピュータ４０からのコマンド操作に応じて上記各部位を制御することができるようになっている。Ｉ／Ｆコントローラ３５とホストコンピュータ４０とはＵＳＢ（Universal Serial Bus），ＳＣＳＩ（Small Computer System Interface），ＩＥＥＥ１３９４（the Institute of Electrical and Electronics Engineers 1394）等の公知規格のインターフェースで接続可能となっている。
【００３４】
制御部３０とＩ／Ｆコントローラ３５とには、ＦＰＧＡ（Field Programmable Gate Array）で構成された画像処理部３６が接続されており、画像処理部３６にはバッファメモリ３７が接続されている。
【００３５】
画像処理部３６は、Ｉ／Ｆコントローラ３５を介してホストコンピュータ４０から転送されてきた画像データ（記録媒体２の記録領域に記録しようとする画像の画像データ）を受け取ると、制御部３０を介することなくその画像データを直接バッファメモリ３７にＤＭＡ（Direct Memory Access）転送して一時的に保存させ、画像の記録に際してヘッド制御回路３１から読み出し指令を受けると、バッファメモリ３７から画像データを読み出してヘッド制御回路３１に送信するように構成されている。
【００３６】
画像処理部３６はその一部がデータカウンタ３８として機能するようになっており、データカウンタ３８が、バッファメモリ３７にＤＭＡ転送された（書き込まれた）画像データのデータ量（以下「書込データ量」という。）と、ヘッド制御回路３１からの読み出し指令に応じてバッファメモリ３７から読み出された画像データのデータ量（以下「読出データ量」という。）とを、カウントするようになっている。
【００３７】
データカウンタ３８は書込データ量から読出データ量を差し引いた残りのデータ量（以下「未処理データ量」という。）を算出することができ、制御部３０はその未処理データ量に基づいて記録媒体２の記録領域が第１のプラテンを通過したか否かを判断するようになっている。
【００３８】
更に制御部３０は未処理データ量の有無でバッファメモリ３７に画像データが存するか否かを判断するようになっており、データカウンタ３８が未処理データ量を算出してその差が「０」になった場合（すなわち、書込データ量と読出データ量とが同数になった場合）には、当該制御部３０はバッファメモリ３７には画像データが存しないと判断するようになっている。「書込データ量と読出データ量とが同数」というのは、バッファメモリ３７に保存された画像データがすべて読み出されたことを意味し、バッファメモリ３７に未処理データが存しないことを意味する。
【００３９】
次に、インクジェットプリンタ１の動作・作用について説明する。
【００４０】
記録媒体２への画像の記録に際し、記録媒体２に記録しようとする画像のデータとしての「画像データ」が、ホストコンピュータ４０からＩ／Ｆコントローラ３５及びデータカウンタ３８を介してバッファメモリ３７にＤＭＡ転送・一時保存され、データカウンタ３８が書込データ量をカウントする。
【００４１】
これと同時に、制御部３０が、ヘッド制御回路３１、ヒータ制御回路３２、メカ制御回路３３及び光源制御回路３４に対し、画像の記録を開始する旨の「開始信号」として所定の制御信号をそれぞれ送信し、記録ヘッド２４、第１のヒータ７、第２のヒータ１１、搬送用モータ５、走査用モータ２３及び光源２５を適宜作動させる。
【００４２】
これにより、第１のヒータ７が予め設定された第１の設定温度で、第２のヒータ１１が予め設定された第３の設定温度で（第１の設定温度と第３の設定温度とは、同じであってもよいし、異なっていてもよい。）発熱して記録媒体２を各設定温度に加熱する。この状態において、搬送用モータ５が駆動されて巻取りローラ４が所定量の回転と停止とを繰り返し、記録媒体２が第１のヒータ７及び第２のヒータ１１の熱を受けながら第１のプラテン６及び第２のプラテン１０上を図１中後方から前方へ向かい間欠的に移動する。
【００４３】
そして巻取りローラ４が停止する毎に、走査用モータ２３が駆動されてキャリッジ２２が記録媒体２の直上を図１紙面表側から裏側（又は裏側から表側）へと移動し、その移動中に、記録ヘッド２４が記録媒体２の記録領域に向けてインクを吐出するとともに２つの光源２５，２５の両方が点灯し、記録媒体２の記録領域に着弾したインクが光源２５の光を受けて硬化する。
【００４４】
ここで、記録ヘッド２４によるインクの吐出動作に際し、インクジェットプリンタ１では、ヘッド制御回路３１が画像処理部３６に読み出し指令を発し、画像処理部３６がバッファメモリ３７に保存された画像データをキャリッジ２２の１走査相当の分量ずつ読み出すようになっている。
【００４５】
このとき、データカウンタ３８は読出データ量をカウントして未処理データ量を算出するようになっており、制御部３０はその未処理データ量から記録媒体２の記録領域の後方側縁部が第１のプラテン６を通過したか否かを判断する。当該制御部３０は、未処理データ量が規定量を下回って記録媒体２の記録領域の後方側縁部が第１のプラテン６を通過したと判断したら、ヒータ制御回路３２に制御信号を送信して第１のヒータ７を第２の設定温度で発熱させる。「第２の設定温度」とは、上記第１の設定温度より低い温度であって記録媒体２の種類に応じて設定された一定温度である。
【００４６】
その後、ヘッド制御回路３１がバッファメモリ３７に保存された画像データのうちキャリッジ２２の最後の１走査分の画像データを読み出すと未処理データ量が「０」に達する。このとき、制御部３０は未処理データ量が無くなってバッファメモリ３７には画像データが存在しないと判断し、ヒータ制御回路３２に制御信号を送信して第２のヒータ１１を第４の設定温度で発熱させる。ここでの「第４の設定温度」は、上記第３の設定温度より低い温度であって記録媒体２の種類に応じて設定された一定温度である。当該第４の設定温度と上記第２の設定温度とは、同じであってもよいし、異なっていてもよい。
【００４７】
そして、キャリッジ２２の最後の１走査分の画像データに基づき記録ヘッド２４がインクの吐出動作を終えると、１画像分の記録動作が完了する。以後、インクジェットプリンタ１では、上述の動作が繰り返しおこなわれることで記録媒体２に複数の画像が順次記録される。
【００４８】
なお、インクジェットプリンタ１では、ホストコンピュータ４０との接続を可能とするＩ／Ｆコントローラ３５を備えるため、画像データの入力と、第１のヒータ７の第２の設定温度から第１の設定温度への復帰と、第２のヒータ１１の第４の設定温度から第３の設定温度への復帰とを、ホストコンピュータ４０のコマンド操作で可能となっている。
【００４９】
以上のインクジェットプリンタ１では、未処理データ量から判断して記録媒体２の記録領域の後方側縁部が第１のプラテン６を通過した場合に、第１のヒータ７の温度が第１の設定温度からそれよりも低温の第２の設定温度に切り替わるため、記録媒体２の非記録領域は記録領域より低温に供されて歪みにくい。そのため、記録領域は非記録領域の影響を受けず、第１のプラテン６の熱伝導に起因する記録媒体２の記録領域の歪みを防止することができる。
【００５０】
更にインクジェットプリンタ１では、第１のプラテン６を通過した記録媒体２の次に画像が記録される後続の記録媒体２が、第１の設定温度より低温の第２の設定温度の熱を第１のヒータ７から受け、その記録媒体２の記録領域は、第１の設定温度の熱を受け続ける場合よりも低温に供され、画像記録前において歪みにくい。そのため、後続の記録媒体２の記録領域においても、第１のプラテン６の熱伝導に起因する歪みを防止することができる。
【００５１】
更に、未処理データ量の有無から判断してバッファメモリ３７に画像データが存しない場合に、第２のヒータ１１の温度が第３の設定温度からそれよりも低温の第４の設定温度に切り替わるため、既に画像が記録された記録領域に後続する非記録領域は当該記録領域より低温に供されて歪みにくい。そのため、当該記録領域の次の記録領域は非記録領域の影響を受けず、第２のプラテン１０の熱伝導に起因する記録媒体２の記録領域の歪みを防止することができる。
【００５２】
また、インクジェットプリンタ１では、第１，第２の各ヒータ７，１１の温度が第１，第３の設定温度からそれよりも低温の第２，第４の設定温度に切替え可能な構成となっているため、設定温度を低温に切り替える分だけ第１，第２の各ヒータ７，１１に供給する電力の消費量を抑えることができる。
【図面の簡単な説明】
【００５３】
【図１】インクジェットプリンタ１の概略構成を示す側面図である。
【図２】インクジェットプリンタ１の回路構成を示すブロック図である。
【符号の説明】
【００５４】
１  インクジェットプリンタ
２  記録媒体
６  第１のプラテン
７  第１のヒータ
１０  第２のプラテン
１１  第２のヒータ
２４  記録ヘッド
２５  光源
３０  制御部
３５  Ｉ／Ｆコントローラ
３６  画像処理部
３７  バッファメモリ
３８  データカウンタ（算出部）
４０  ホストコンピュータ
【図１】
2006150651.tif 000003
【図２】
2006150651.tif 000004